(57)【要約】【課題】使用時の転写操作を、手の不自由な人にとっても安定して行うことができるとともに、転写不良を効果的に防止することができ、好ましくは、塗膜転写具の握り方に汎用性を持たせることができるようにした文具用アタッチメントを提供する。【解決手段】底面３が被転写面Ｐに対して易滑性の平坦な摺動面をなす台座２からなるとともに、この台座２に、塗膜が添設された転写テープ１１Ａを、ヘッド部材１８の転写ヘッド２０に繰出し供給して被転写面Ｐ上に塗膜を転写し、かつ転写後の転写テープ１１Ｂを巻取り収容する転写機構が内部に備えられた塗膜転写具ケース１０を着脱自在に装着可能にし、かつこの塗膜転写具ケース１０の台座２への装着状態において、掌の中に抱持可能なマウス型の外周形状を呈するようにする。【選択図】    図５
2009262348.tif 000002
【特許請求の範囲】
【請求項１】
底面が被転写面に対して易滑性の平坦な摺動面をなす台座からなるとともに、この台座に、塗膜が添設された転写テープをヘッド部材の転写ヘッドに繰出し供給して被転写面上に塗膜を転写し、かつ転写後の転写テープを巻取り収容する転写機構が内部に備えられた塗膜転写具ケースを着脱自在に装着可能にし、かつこの塗膜転写具ケースの台座への装着状態において、掌の中に抱持可能なマウス型の外周形状を呈するようにしたことを特徴とする文具用アタッチメント。
【請求項２】
台座に、塗膜転写具ケースが嵌入されるケース嵌入部を設けた請求項１記載の文具用アタッチメント。
【請求項３】
ケース嵌入部に、塗膜転写具ケースを弾性的に挾持する弾性挾持部を設けた請求項２記載の文具用アタッチメント。
【請求項４】
台座の前端底面側を、付勢体の付勢力でもって被転写面から浮上させるとともに、使用時には、台座の前部を、付勢体の付勢力に抗して上方から下方に向けて押動操作することにより、被転写面に向けて下方に移動させて、ケース嵌入部に装着した塗膜転写具ケースにおけるヘッド部材の転写ヘッドが、被転写面に対する浮上状態から、被転写面に向けて当接しうるようにして、転写テープの塗膜を被転写面に転写可能にし、かつ
不使用時には、台座の押動操作を開放することにより、台座の前端底面側が付勢体の付勢力により被転写面から浮上した状態に復帰させて、前記転写ヘッドを被転写面から浮上させ、転写ヘッドによる被転写面への転写を中止しうるようにした請求項１〜３のいずれかに記載の文具用アタッチメント。
【請求項５】
台座の前端底面側を、圧縮スプリングのばね力でもって突出可能にした摺動突起により、被転写面から浮上した状態に維持させるとともに、使用時に、台座の前部を、圧縮スプリングのばね力に抗して上方から下方に向けて押動操作することにより、摺動突起を台座内に埋没させて、塗膜転写具ケースにおけるヘッド部材の転写ヘッドが被転写面に当接しうるようにし、かつ不使用時には、台座の押動操作を開放することにより、摺動突起を、圧縮スプリングのばね力をもって台座の前端底面から突出させて、転写ヘッドが被転写面から浮上した状態に復帰しうるようにした請求項１〜４のいずれかに記載の文具用アタッチメント。
【発明の詳細な説明】
【技術分野】
【０００１】
本発明は、修正塗膜や糊塗膜などを被転写面に転写する塗膜転写具が装着されて、使用時における塗膜転写具の操作性を高めるための文具用アタッチメントに関する。
【背景技術】
【０００２】
塗膜転写具は、ケース本体内に、供給リールと巻取リールとを設け、供給リールに巻回した転写テープを、ケース本体の開口から突出させた転写ヘッドを経て、巻取リールに巻き取るようにしたものが公知である（例えば、特許文献１、２参照）。
【０００３】
しかし、特許文献１、２に記載の塗膜転写具は、使用時に、主としてケース本体の後半部だけを握って転写操作を行った場合、ケース本体が、必然的に浅く握られ、力点が後方になる。
そのため、ケース本体がぐら付き易く、特に、手の不自由な人にとっては、転写操作が不安定になり、転写不良の要因になる虞があるばかりでなく、ケース本体の握り方自体に汎用性がないという問題があった。
【特許文献１】特開２０００−０２６０１４号公報
【特許文献２】特開２０００−０３７９９１号公報
【発明の開示】
【発明が解決しようとする課題】
【０００４】
本発明は、前記の現状に鑑み、使用時の転写操作を、手の不自由な人にとっても安定して行うことができるとともに、転写不良を効果的に防止することができ、好ましくは、塗膜転写具の握り方に汎用性を持たせることができるようにした文具用アタッチメントを提供することを目的とする。
【課題を解決するための手段】
【０００５】
上記課題は、「特許請求の範囲」における各請求項に記載するように、次のような構成からなる発明によって解決される。
【０００６】
（１）  底面が被転写面に対して易滑性の平坦な摺動面をなす台座からなるとともに、この台座に、塗膜が添設された転写テープをヘッド部材の転写ヘッドに繰出し供給して被転写面上に塗膜を転写し、かつ転写後の転写テープを巻取り収容する転写機構が内部に備えられた塗膜転写具ケースを着脱自在に装着可能にし、かつこの塗膜転写具ケースの台座への装着状態において、掌の中に抱持可能なマウス型の外周形状を呈するようにする。
【０００７】
（２）  上記（１）項において、台座に、塗膜転写具ケースが嵌入されるケース嵌入部を設ける。
【０００８】
（３）  上記（２）項において、ケース嵌入部に、塗膜転写具ケースを弾性的に挾持する弾性挾持部を設ける。
【０００９】
（４）  上記（１）〜（３）項のいずれかにおいて、台座の前端底面側を、付勢体の付勢力でもって被転写面から浮上させるとともに、使用時には、台座の前部を、付勢体の付勢力に抗して上方から下方に向けて押動操作することにより、被転写面に向けて下方に移動させて、ケース嵌入部に装着した塗膜転写具ケースにおけるヘッド部材の転写ヘッドが、被転写面に対する浮上状態から、被転写面に向けて当接しうるようにして、転写テープの塗膜を被転写面に転写可能にし、かつ不使用時には、台座の押動操作を開放することにより、台座の前端底面側が付勢体の付勢力により被転写面から浮上した状態に復帰させて、前記転写ヘッドを被転写面から浮上させ、転写ヘッドによる被転写面への転写を中止しうるようにする。
【００１０】
（５）  上記（１）〜（４）項のいずれかにおいて、台座の前端底面側を、圧縮スプリングのばね力でもって突出可能にした摺動突起により、被転写面から浮上した状態に維持させるとともに、使用時に、台座の前部を、圧縮スプリングのばね力に抗して上方から下方に向けて押動操作することにより、摺動突起を台座内に埋没させて、塗膜転写具ケースにおけるヘッド部材の転写ヘッドが被転写面に当接しうるようにし、かつ不使用時には、台座の押動操作を開放することにより、摺動突起を、圧縮スプリングのばね力をもって台座の前端底面から突出させて、転写ヘッドが被転写面から浮上した状態に復帰しうるようにする。
【発明の効果】
【００１１】
本発明によると、各請求項に記載の発明においては、次のような効果がそれぞれ奏せられる。
【００１２】
請求項１記載の発明によると、台座を、底面が被転写面に対して易滑性の平坦な摺動面をなすようにするとともに、塗膜転写具ケースの装着状態において、掌の中に抱持可能なマウス型の外周形状を呈するようにしてあるため、塗膜転写具ケースを台座と共に掌にフィットさせて握持することができるとともに、塗膜転写具ケースを装着した際の被転写面に対する摺動操作を円滑に行うことができ、使用時の転写操作を安定して行うことができる。
これにより、使用時の転写操作を、手の不自由な人にとっても安定して行うことができ、転写不良を効果的に防止することができるとともに、塗膜転写具の握り方に汎用性を持たせることができる。
【００１３】
請求項２記載の発明によると、台座に、塗膜転写具ケースが嵌入されるケース嵌入部を設けてあるため、塗膜転写具ケースの装着、取外しを簡単にかつ容易に行うことができる。
【００１４】
請求項３記載の発明によると、ケース嵌入部に、塗膜転写具ケースを弾性的に挾持する弾性挾持部を設けてあるため、塗膜転写具ケースの装着、取外しを簡単にかつ容易に行うことができる。
【００１５】
請求項４記載の発明によると、台座の前端底面側を、付勢体の付勢力でもって被転写面から浮上させるとともに、使用時には、台座の前部を、付勢体の付勢力に抗して上方から下方に向けて押動操作することにより、被転写面に向けて下方に移動させて、ケース嵌入部に装着した塗膜転写具ケースにおけるヘッド部材の転写ヘッドが、被転写面に対する浮上状態から、被転写面に向けて当接しうるようにして、転写テープの塗膜を被転写面に転写可能にしてあるため、使用時に、台座を押動操作する際に、台座が、掌により必然的に深く握られ、力点が前方になる。
これにより、塗膜転写具ケースがぐらつくことがなく、転写作業を安定して行えるとともに、転写テープの片浮きによる転写不良を効果的に防止することができる。
また、不使用時には、台座の押動操作を開放することにより、台座の前端底面側が付勢体の付勢力により被転写面から浮上した状態に復帰させて、転写ヘッドを被転写面から浮上させ、転写ヘッドによる被転写面への転写を中止しうるようにしてあるため、誤って他の個所に塗膜が転写されるのを防止することができる。
また、使用時に、台座の前部を付勢体の付勢力に抗して上方から下方に向けて押動操作しながら、台座を摺動させるだけでよいため、塗膜転写具ケース全体を抱持するようにして操作するだけでなく、台座に装着された塗膜転写具ケースの前部上面を指先だけで押して操作したり、指を握ったままの握り拳状態で押して操作したりすることもでき、塗膜転写具ケースの握り方自体に汎用性を持たせることができる。
【００１６】
請求項５記載の発明によると、台座の前端底面側を、圧縮スプリングのばね力でもって突出可能にした摺動突起により、被転写面から浮上した状態に維持させるとともに、使用時に、台座の前部を、圧縮スプリングのばね力に抗して上方から下方に向けて押動操作することにより、摺動突起を台座内に埋没させて、塗膜転写具ケースにおけるヘッド部材の転写ヘッドが被転写面に当接しうるようにし、かつ不使用時には、台座の押動操作を開放することにより、摺動突起を、圧縮スプリングのばね力をもって台座の前端底面から突出させて、転写ヘッドが被転写面から浮上した状態に復帰しうるようにしているため、使用時の転写作業を安定して行えるとともに、転写作業の中止時に、誤って他の個所に塗膜が転写されるのを防止することができる。
【発明を実施するための最良の形態】
【００１７】
以下、本発明の実施形態を、添付図面を参照して説明する。
図１は、本発明における一実施形態の文具用アタッチメントと塗膜転写具との分解斜視図、図２は、図１のII−II線における文具用アタッチメントの拡大縦断面図、図３は、図２のIII−III線における不使用状態の文具用アタッチメントを一部破断して示す縦断面図、図４は、同じく、使用状態の文具用アタッチメントを一部破断して示す縦断面図、図５は、塗膜転写具を装着した文具用アタッチメントの使用状態を示す斜視図である。
なお、以下の説明において、図１に示すように、左下から右上に至る方向を「前後方向」、右下から左上に至る方向を「左右方向」とする。
【００１８】
図１〜図３に示すように、本発明の文具用アタッチメント１は、台座２を備えるとともに、この台座２は、底面３が被転写面Ｐに対して易滑性の平坦な摺動面をなし、かつ掌の中に抱持可能なマウス型の外周形状を呈している。
【００１９】
なお、本明細書において、「易滑性の平坦な摺動面」とは、本来の平坦な面のみならず、平坦な面に部分的に凹部を設けて、摩擦抵抗を減少させ、摺動を一層容易にした形態のものも含む。
また、「マウス型の外周形状」とは、使用の際に、後記の塗膜転写具ケース１０を装着した状態で台座２を掌の中に抱持して、被転写面Ｐ上を所望の方向に容易に摺動させうるような、塗膜転写具ケース１０の台座２への装着状態における全体外周形状を称す。
【００２０】
台座２の前端底面３ａ側には、左右１対の摺動突起４が設けられ、これらの摺動突起４は、圧縮スプリング５のばね力でもって、台座２の前端底面３ａから突出している。
すなわち、左右の摺動突起４は、圧縮スプリング５のばね力でもって、台座２の前端底面３ａ側を被転写面Ｐから浮上した状態に維持させうるような機能を有している。
【００２１】
台座２における左右方向の中央部には、後記するＡＢＳ樹脂等の合成樹脂製からなる塗膜転写具ケース１０を保持するケース嵌入部６が設けられている。
このケース嵌入部６は、前後方向に延びる上向きコ字状の嵌入溝７からなるとともに、この嵌入溝７における左右両内側壁７ａには、左右方向に相互に対向する突起８が、嵌入溝７の前後に設けられている。
【００２２】
各々の突起８は、圧縮スプリング９のばね力でもって、内側壁７ａに向けて弾性的に突出させてなるとともに、ケース嵌入部６の嵌入溝７内に嵌入される塗膜転写具ケース１０を、弾性的に挾持しうるようにし、これらの突起８、圧縮スプリング９によって弾性挾持部を構成している。
【００２３】
塗膜転写具ケース１０は、修正塗膜や糊塗膜等の塗膜が添設された転写テープ１１Ａを巻回した供給リール１２が軸１３ａを介して装填された第１歯車１３と、この第１歯車１３に互いに噛合し、かつ転写後における塗膜剥離後の転写テープ１１Ｂを巻き取る巻取リール１４が軸１５ａを介して装填された第２歯車１５と、ケース本体１の前端開口１６から前方に向けて突出させた左右１対のヘッド側板１７、１７と、これらヘッド側板１７、１７間に取り付けたヘッド部材１８とからなる転写機構が備えられている。
【００２４】
なお、図示の実施例では、供給リール１２用の第１歯車１３と、巻取リール１４用の第２歯車１５とを、互いに直接的に噛合させたが、本明細書における「互いに噛合された供給リール１２用の第１歯車１３と、巻取リール１４用の第２歯車１５」とは、中間歯車を介して、前記の第１歯車１３と第２歯車１５が間接的に噛合する場合をも含めて指称する。
【００２５】
ヘッド部材１８は、左右のヘッド側板１７、１７の前端に、左右方向を向く水平軸１９の軸回りに回転自在に軸支されたローラ状の転写ヘッド２０でもって形成されているとともに、この転写ヘッド２０は、左右のヘッド側板１７、１７の下端から露出しうるようになっている。
すなわち、前記転写機構は、塗膜が添設された転写テープ１１Ａをヘッド部材１８の転写ヘッド２０に繰出し供給して、被転写面Ｐ上に塗膜を転写し、かつ転写後の転写テープ１１Ｂを巻取り収容しうるようになっている。
【００２６】
次に、本発明における文具用アタッチメント１の操作手順を説明する。
文具用アタッチメント１には、塗膜転写具ケース１０が装着されるとともに、この塗膜転写具ケース１０は、台座２のケース嵌入部６に嵌入することにより、図４に想像線で示す塗膜転写具ケース１０の左右両側面が、嵌入溝７の左右両内側壁７ａに圧縮スプリング９のばね力でもって突出させた突起８により弾性的に挾持されるようになっている。
【００２７】
台座２に塗膜転写具ケース１０が装着されると、図４、図５に示すように、全体がマウス型の外周形状を呈することから、使用開始時には、掌の中に抱持しうるように、塗膜転写具ケース１０と共に台座２を掌で包み込むようにして握り、台座２の底面３を紙面Ｐ上に当接して、塗膜転写具ケース１０におけるヘッド部材１８の転写ヘッド２０を、紙面Ｐ上の転写位置に合わせる。
このとき、台座２の前端底面３ａは、図３に示すように、圧縮スプリング５のばね力でもって突出する左右の摺動突起４によって浮上した状態を維持しうるようになっているため、転写ヘッド２２は、紙面Ｐ上から浮上して、待機状態となっている。
【００２８】
次いで、台座２の前部を下方に向けて押動操作すると、図４に示すように、左右の摺動突起４は、圧縮スプリング５のばね力に抗して台座２の前端底面３ａ内に埋没しうるように上方に移動し、相対的に台座２の前端底面３ａが下方に向けて移動すると同時に、図５に示すように、転写ヘッド２０が紙面Ｐ上に当接される。
【００２９】
この状態で、台座２を塗膜転写具ケース１０と共に塗膜の塗布方向である後方に向けて水平方向に摺動させることにより、転写テープ１１Ａの塗膜を、紙面Ｐ上に転写させることができる。
このとき、台座２の底面３が紙面Ｐに対して易滑性の平坦な摺動面をなすことから、紙面Ｐ上を安定して摺動させることが可能になる。
【００３０】
不使用時には、台座２の押動操作を開放すると、左右の摺動突起４は、圧縮スプリング５のばね力により、台座２の前端底面３ａから突出しうるように下方に向けて移動し、台座２の前端底面３ａが紙面Ｐ上から浮上して、図３に示すように、転写ヘッド２０が紙面Ｐ上から浮上した状態に復帰し、転写を中止しうるようになっている。
【００３１】
なお、前記した実施形態においては、台座２の底面２を易滑性化するには、易滑性樹脂膜のコーティングを施すか、易滑性テープを貼着するか、あるいはコロ等の転動体を装着することによっても行われる。
【００３２】
図６は、本発明における第２実施形態の文具用アタッチメントを一部破断して示す非転写時の側面図、図７は同じく、図６におけるVII−VII線の縦断面図である。
【００３３】
第２実施形態においては、図６および図７に示すように、台座２１における底面２２の前端底面２２ａを下向き移動可能に浮上させる手段として、圧縮スプリング２３によって下方に向けてそれぞれ付勢された左右の突起２４、２４間に、紙面Ｐ上に接地される摺動板２５を架設する。
そして、使用時には、図６に想像線で示すように、台座２１の前部上面２１ａを上方から紙面Ｐ上に向けて押動操作した際に、台座２１の前端底面２２ａに左右方向に向けて形成した凹部２６に、前記摺動板２５を、その下面２５ａが台座２１の前端底面２２ａと面一状態で収容されるように構成したものである。
【００３４】
なお、前記した実施形態においては、台座の浮上手段における付勢体として、圧縮スプリングのばね力を利用したが、たとえば板ばねなどを用いることも可能である。
【図面の簡単な説明】
【００３５】
【図１】本発明における一実施形態の文具用アタッチメントと塗膜転写具との分解斜視図である。
【図２】図１のII−II線における文具用アタッチメントの拡大縦断面である。
【図３】図２のIII−III線における不使用状態の文具用アタッチメントを一部破断して示す縦断面図である。
【図４】同じく、使用状態の文具用アタッチメントを一部破断して示す縦断面図である。
【図５】塗膜転写具を装着した文具用アタッチメントの使用状態を示す斜視図である。
【図６】本発明における第２実施形態の文具用アタッチメントを一部破断して示す非転写時の側面図である。
【図７】同じく、図６におけるVII−VII線の縦断面図である。
【符号の説明】
【００３６】
１    文具用アタッチメント
２    台座
３    底面
３ａ  前端底面
４    摺動突起
５    圧縮スプリング
６    ケース嵌入部
７    嵌入溝
７ａ  内側壁
８    突起
９    圧縮スプリング
１０  塗膜転写具ケース
１１Ａ  転写テープ
１１Ｂ  塗膜剥離後の転写テープ
１２  供給リール
１３  第１歯車
１３ａ  軸
１４  巻取リール
１５  第２歯車
１５ａ  軸
１６    前端開口
１７  ヘッド側板
１８  ヘッド部材
１９  水平軸
２０  転写ヘッド
２１  台座
２１ａ  前部上面
２２  底面
２２ａ  前端底面
２３  圧縮スプリング
２４  突起
２５  摺動板
２５ａ  下面
２６  凹部
Ｐ    紙面（被転写面）
【図１】
2009262348.tif 000003
【図２】
2009262348.tif 000004
【図３】
2009262348.tif 000005
【図４】
2009262348.tif 000006
【図５】
2009262348.tif 000007
【図６】
2009262348.tif 000008
【図７】
2009262348.tif 000009